(57)【要約】本発明は、複数の設備の機能を扱い表示するための方法に関する。本発明は、次のステップにより特徴付けられるものである。データ処理システムにおいて、特に上記設備の機能性をもたらすデータ等の所定のオぺレーティングデータが検出される。検出されたオペレーティングデータが評価され分類される。その分類は、上記設備が正常に機能しているか否か、技術的故障，メンテナンス作業又は他の理由などの機能不全について可能性のある理由に関した情報があるかどうかを判定することを含む。各設備及び設備のグループが、記号に関連付けられる。記号は、上記設備のタイプ及び／又は各設備の機能性を分類するものである。全ての記号が、全体的な構成（図２，図３）をなすべく組み合せられ、電子ファイルとして保存され、また、伝送される。上記電子データの組は、上記データにアクセス可能とする特定のアドレスが関連付けられたネットワークサーバへ伝送される。
2004512791.tif 000002
【特許請求の範囲】
【請求項１】
複数の設備の機能を処理し表示する方法であって、
データ取得用の設備において、特に上記設備の有効性を明らかとするオぺレーティングデータを取得し、
取得したオペレーティングデータを評価し、また、上記設備が有効であるか否か、技術的故障，メンテナンス作業又は他の理由などの非有効性について可能性のある理由に関した情報を確かめるよう分類し、
各設備及び設備のグループに、上記設備のタイプ及び／又は各設備の有効性を分類する記号を関連付け、
概観（図２，図３）を与えるように全ての記号を組み合せ、電子ファイルとして保存し、また、出力し、
上記電子ファイルを呼び出すためにダイアルされる所定のアドレスが関連付けられたネットワークサーバへ電子ファイルを出力する、ステップにより特徴付けられた方法。
【請求項２】
地理的なマップが、また、上記概観を作成するために用いられ、上記記号が、該地理的なマップ内の設備の位置に表示され、該地理的なマップが、それ自身のファイルに保存されることを特徴とする請求項１記載の方法。
【請求項３】
そのデータが取得される各設備の出力データが、例えば１日，１週間，１ヶ月等の所定の期間に算出され、上記概観とともに表示されることを特徴とする請求項１又は２に記載の方法。
【請求項４】
上記出力データの合計（Ｂ）が、そのオペレーティングデータが取得され評価される全ての同様の設備の有効な出力（Ａ）の合計に関係付けられていること、及び、上記値が、上記概観の情報の項目とともに、若しくは、別個に出力されることを特徴とする請求項３に記載の方法。
【請求項５】
少なくとも１つの選択可能な種類の設備が、それぞれ選択された上記概観から切り出され得ることを特徴とする請求項４記載の方法。
【請求項６】
更なる情報の項目があらわされる正確な入力の後に、少なくとも認証情報を呼び出すアクセス制御が提供されることを特徴とする請求項１〜５のいずれか一に記載の方法。
【請求項７】
所定の制限値及び／又は比較値からの偏差が、表示に影響することを特徴とする請求項１〜６のいずれか一に記載の方法。
【請求項８】
複数の同様の及び／又は異なる種類の概観の同時の表示、及び／又は、複数の概観の間の変化の可能性により特徴付けられ、また、少なくとも１つの概観又は好ましくは全ての概観の表示サイズが可変であることを特徴とする請求項１〜７のいずれか一に記載の方法。
【発明の詳細な説明】
【０００１】
本発明は、例えば、電力設備，水利用設備，ブロック加熱及び生成設備，変電所などの設備の動作様式を表示する方法に関する。
【０００２】
設備の動作様式は、連続的に検出され、また、その検出されたデータが、設備のオペレータに有効となることが知られている。例えば、もし設備のオペレータが、適切な通信デバイス（例えばモデム）を有していれば、その設備の関係のある全ての情報（例えば、それが作動中であるかどうか、現時点でそれが作用するための出力があるかどうか、若しくは、故障がないかどうか、もしあれば、何が原因であるか等）を取得することができる。設備における環境データ（ｅｎｖｉｒｏｎｍｅｎｔａｌ ｄａｔａ）のみならず、設備の他の計測データも呼出し可能であることが理解されるであろう。
【０００３】
風力設備の場合、環境データは、例えば、風向き，風速，温度等であり、水利用設備の場合には、それらは、水位（ｌｅｖｅｌ），温度等である。
【０００４】
しかしながら、上記の手段は、常に、製造業者の顧客、すなわち、一般的に言えば、設備のオペレータにあつらえのもので、第三者は、データを閲覧することができない。また、この手段は、機密にされるべき、また、いかなるものにも入手不可能とすべきオペレーティングデータを含む場合がある。
【０００５】
それにもかからわず、複数の設備から所定項目のオペレーティングデータ、例えば製造業者の設備を、第三者に入手可能とすることが望ましい。その結果、第三者は、その設備の信頼性を概観的に把握することができ、更にその上、機密性に関する設備のオペレータの一部の望みを満足させることができる。
【０００６】
本発明の目的は、上記課題の技術的な解決策を提供することであり、該解決策は、特に魅力的で、設備の位置及び／又は動作に関した概観を提供する迅速な方法をもたらすものである。
【０００７】
本発明の目的は、請求項１に記載された方法を用いて実現される。有効な展開は、従属請求項に記載される。
【０００８】
本発明は、以下の検討材料に基づくものである。
例えば製造業者からの設備のオペレーティングデータが記録され取得される。取得されたオペレーティングデータは、例えば、設備が全て動作準備状態にあるかどうか（風力設備の場合には、例えば、それがネットワークに接続されているかどうか）に関して分類される。もし設備が動作準備状態になければ、これは、更に、非有用性／設備の故障の理由が特定されるように分類される。例えば動作中の故障、つまり技術的欠陥（例えば風力設備のジェネレータにおける火事）によって、若しくは、設備に関して時々行われるべき通常のメンテナンスによって、また、設備がオフに設定されている間に、非有用性が生じ得る。
【０００９】
もし設備が有用であれば、幾つかの環境の下で、名目上の動作状態の下で動作しているか否かを特定することが可能である。
【００１０】
上記のように分類されたデータは組み合わされ、任意に、各設備のそれぞれの地理的位置に関連付けられる。代わりに、例えばシリアルナンバー等の固有の識別子に基づき、データを各設備に関連付けることも可能であることが理解されるであろう。その点で設備の位置を記載する地理的データが、同様に、設備に対して関連付け可能である。最後に、各設備又は設備のグループに関して、例えば地理的マップ（例えばドイツのマップ）などの概観に、記号（ｓｙｍｂｏｌ）が記入される。この場合には、設備の種類及び各設備又は設備のグループの動作状況が、記号から導き出される。この点に関して、記号は、設備と関連付けられたデータから、所定のアルゴリズムにしたがって自動的に導き出される。
【００１１】
例えば緑の円等の記号が、動作している（使用可能な）設備が風力設備であることをあらわし、また、一方、赤の円等の記号が、設備が動作していないことをあらわしている。赤−緑の円（赤の半円と緑の半円とが合わさってなされた円）が、設備が、基本的には使用可能であるが、メンテナンスのため、オフにされていることをあらわしている。
【００１２】
このように提供される概観は、設備のさまざまな種類を識別することができ、一定周期で更新され、電子ファイル形式で保存され、例えば、インターネット網などの情報網で有効化され、さらに、例えば設備の製造業者のアドレス等のインターネットドメインアドレスによって、呼び出されるように有効化される。
【００１３】
インターネットアクセスをもつだれもが、所定の地理的領域内（例えばドイツ内）の、設備の製造業者により作成された全設備のピクチャを得ることができる。この場合には、かかる設備がどこに配置されているかのみならず、各動作状況がどうなっているか、つまり、設備が配置されているか若しくは動作上の障害によって満足に動作していないかが把握され得る。
【００１４】
更に別のデータを設備の作業位置と関連付けることのみならず、それをマップ上にあらわすこともまた有効である。かかるデータは、例えば過去の月、去年等の過去の所定期間の動作時間であってもよく、これにより、それを閲覧する者が、設備の信頼性に関して、非常に有益なピクチャを有することとなる。
【００１５】
一定周期で更新される動作上のデータを取得することにより、誰もが、例えばインターネット等のネットワークによって、所定の地理的領域における複数の設備の有効性を閲覧者に示すオンラインで連続的に更新されるマップを得ることが可能であり、また、これは、常に、最新のもの（つまり、１日又は１週間のうちで最新のもの）を基礎とする。
【００１６】
図１は、複数のＮの設備を模式的に示すもので、その設備は、以下では、風力設備（ＷＥＡ）と考えられる。これは、製造業者又はオペレータの設備の全て又は少なくとも一部を含むべきもので、所定の地理的領域内に設置され、また、オペレータにより整備される。
【００１７】
設備からは、各設備で計測された全オペレーションデータが送信され処理される中央データ処理ステーションへの直接的な若しくは間接的なデータ接続が存在する。データは、例えば、所定のユニットの電力出力データ，風のデータ又は温度のデータ等である。
【００１８】
データが取得された後、それらのデータは、設備の所定の機能に関して評価され分類される。そのため、処理は、まず、設備が全て出力を伝送しているかつまり使用可能であるかを、オペレーティングデータから確認するステップを有する。その情報は、電子的な概観を作成又は更新する場合に、基礎として用いられる。
【００１９】
もし設備が使用可能であると判断されれば、これが、技術上の故障を被るものであるかどうかを確認するためのチェックが実行される。もしそうであれば、その情報が、また、概観を作成する又は更新するために処理される。しかしながら、もし、その状況が技術上の故障を含まなければ（技術上の故障とは、ロータ，ジェネレータ，インバータ，トランスフォーマー等の設備の技術的素子の欠陥をあらわす）、処理は、有効性の欠如が、日常のメンテナンス作業によるものかどうかをチェックするステップを有する。
【００２０】
かかる日常のメンテナンス作業は、設備の信頼性の高い作業を保証するために、設備に関係した所定の時間的間隔で実行される必要がある。日常のメンテナンス作業が実行されると、その情報は、また、概観の作成に際して、適切に処理される。しかしながら、もしメンテナンス作業が実行されなければ、設備の故障は、他の理由によるものとされる。かかる理由は、例えば、接続された全ネットワークの調子が悪い若しくは接続されたネットワークのオペレータが技術上の理由から接続されたネットワークから風力発電地帯を外すということから、例えば、風力発電地帯内における設備が使用可能であるが、その風力発電地帯への接続に欠陥があるためである。
【００２１】
各情報の項目は、電子的な概観を設定するために、記号関連付けのブロックで処理される。そのブロックは、また、例えば、電子形式での、ドイツの地理的マップ等の基本となるマップ材料の処理を有している。
【００２２】
各設備が、所定の地理的位置に関連付けられることで、記号が各設備に関連付けられたマップの作成が可能となる。ここで、記号の形状、及び／又は、色、及び／又は、表示は、設備が使用可能であるか否か、使用不可能な理由はどういうものか、その状況は、技術上の欠陥又は行われるメンテナンス作業を含むかどうか、若しくは、他の理由があるかを特定するものである。
【００２３】
マップが作成され更新された後、それは、保存され出力され、例えば、設備の製造業者のインターネットサーバに対して入手可能とされる。その結果、関心のある第三者が、製造業者／オペレータのホームページ上の所定の記号をチェックすることにより、製造業者／オペレータの全設備についての情報を取得することが可能となる。
【００２４】
記号をマップ中で混合したり変更したりする場合に、同時に、記号の外形に、設備の種類及び／又はタイプを象徴させることが可能である、ことが理解されるであろう。
【００２５】
例えば、矩形の記号は、これが、約５００−６００ｋＷの電力クラスからの所定のタイプの電力設備を含むことを意味し、他方、円形は、約１．５−１．８ＭＷのクラスにおけるタイプの設備を示す。
【００２６】
例えばマウスのポインタなどのポインタを用いて、設備又は風力発電地帯の記号に触れることにより、若しくは、記号上でクリック又はダブルクリックを行うことにより、設備又は風力発電地帯に関した、選択された使用可能となる情報の項目を表示することが可能である。
【００２７】
更に、記号は、設備又は風力発電地帯の製造業者及び／又はオペレータに対するリンク付け（ｌｉｎｋｉｎｇ）を含むことができる。それにより、第三者は、例えば電子メール等の簡単な様式で、製造業者／オペレータとの連絡や情報交換を行うことが可能となる。
【００２８】
更に、データは、設備又は風力発電地帯のオペレータに利用可能なものとされ、それにより、オペレータは、ネットワークまわりで関係のある全てのデータを読み出すことができる。
【００２９】
機密性のあるデータについて所望でないつまり許可されていない閲覧がなされることを防止するために、所定のデータが、認証又はその同様のもの等のアクセスコントロールにより許可されないアクセスから保護される別個の（論理上の）領域に保存され得る。
【００３０】
前述したマップ作成処理の代わりに、地理的マップ（図２）を作成せず、概観のリスト（図３）に全ての設備を記録することができる。それらのデータは、地理的な参照なしに、概観のリスト又はテーブルにおいて現れる。閲覧者は、そこから、幾つの製造業者／オペレータの設備が動作中であるか、それらの幾つが使用可能であるか（又は使用不可能であるか）を直接に見ることができる。
【００３１】
図２は、各設備に関して記録された記号を備えたドイツのマップの模式例を示している。その中で、記号の外形は、設備のタイプをあわらし、例えば、正方形は、タイプＥ−４０（エネルコン社製），５００−６００ｋＷの出力範囲の設備をあらわし、また、円は、タイプＥ−６６（エネルコン社製），１．５ＭＷ−１．８ＭＷの出力範囲の設備をあらわし、更に、三角形は、タイプＥ−３０（エネルコン社製），２００−３００ｋＷの出力範囲の設備をあらわす。
【００３２】
多数の設備が、ある風力発電地帯において併用される場合、それらは、また、適切な別個の記号によって識別され得る。
【００３３】
記号の色付け又はハッチング若しくは表示（例えば迅速に，ゆっくりとあるいは光る）は、設備の有効性、さもなければ、可能性のある故障又は欠陥を表わすものである。また、所定のキーデータ又は比較値の偏差をあらわし、その編差を信号で送ることも可能である。
【００３４】
図３は、設備の地理的な参照を与えない別の概観表示を示している。各設備の位置は、図２に示されるマップにて見られるが、そういう指示は図２に示されるマップには見られない。しかしながら、図３に示される概観を見る者は、図２のマップからよりも、どの状況が、情報をインターネット上で有効にする製造業者／オペレータの全設備を構成する設備の有効性に関係するかを、一層迅速に把握できる。
【００３５】
各マップ又は概観は、最新の形式による、すなわち１日ごとの最新また１週間ごとの最新の形式による連続したオペレーティングデータの取得により、作成され得る。マップ／概観を見る者は、そこから、所定の製造業者又はオペレータの設備が、どれだけ信頼できるか（若しくはどれだけ信頼できないか）を把握することができ、また、設備の品質についての判断を構成することができる。
【００３６】
設備の機能的な又はオペレーティングデータを除き、各設備に関連して、個々の設備の風のデータ及び／又はオペレーティングデータ、又は、設備により伝送されるエネルギーの総量に関係するデータを特定することが可能である。特に、例えば１日，１ヶ月，１年などの所定の期間に関して、全設備の出力の有効性Ａのみならず、それぞれ生成される電気エネルギーの量Ｂを指定することが望ましい。
【００３７】
多数の異なる種類の設備を扱う場合に、概観の明瞭性を向上させるべく、少なくとも１種類の設備及び好ましくはそれぞれ所望の種類の設備が、概観においてより少ない種類の設備をあらわすように、概観から切り出され得る。
【００３８】
このようにして、状況を見る者は、彼に関係しまたその種の設備の状況の印象を迅速に取得する特定の種類の設備に対して、自身を制限することができる。このようにして、風力設備の概観、又は、風力設備及び水利用設備の概観に達することが可能である。
【００３９】
更に、空間的な配置（図２）等のオーダに関して、若しくは、例えば設備の種類及びタイプ（図３）にしたがった統計的評価に基づき、種々の基準に関係する概観を取得するために、例えば図２に示されるような地理的に方向付けられた概観から図３に示されるようなテーブル形式に設定された概観への、また、その逆の表示の変更を有効に実行することができる。
【００４０】
更に、複数の類似した図、つまり、例えば複数の地理的領域を並行して比較する図を同時に表示することを容易化することが可能である。この場合には、各表示のサイズは、それを見る者の必要に応じて調整可能である。
【００４１】
その代わりに、テーブル状の概観及び地理的に方向付けられた表示等の種々の種類の態様が、並行して表示されてもよい。
【図面の簡単な説明】
【図１】マップを作成するための基本的構成を示す図。
【図２】マップの具体例を示す図。
【図３】図２に関係した他の例の表示を示す図。
【図１】
2004512791.tif 000003
【図２】
2004512791.tif 000004
【図３】
2004512791.tif 000005
【国際公開パンフレット】
2004512791.tif 000006
2004512791.tif 000007
2004512791.tif 000008
2004512791.tif 000009
2004512791.tif 000010
2004512791.tif 000011
2004512791.tif 000012
2004512791.tif 000013
2004512791.tif 000014
2004512791.tif 000015
2004512791.tif 000016
2004512791.tif 000017
2004512791.tif 000018
2004512791.tif 000019
2004512791.tif 000020
2004512791.tif 000021
【手続補正書】
【提出日】平成14年5月8日(2002.5.8)
【手続補正１】
【補正対象書類名】明細書
【補正対象項目名】請求項１
【補正方法】変更
【補正の内容】
【請求項１】
複数の風力設備の機能を処理し表示する方法であって、
データ取得用の設備において、特に上記設備の有効性を明らかとするオぺレーティングデータを取得し、
取得したオペレーティングデータを評価し、また、上記設備が有効であるか否か、技術的故障，メンテナンス作業又は他の理由などの非有効性について可能性のある理由に関した情報を確かめるよう分類し、
各設備及び設備のグループに、上記設備のタイプ及び／又は各設備の有効性を分類する記号を関連付け、
概観（図２，図３）を与えるように全ての記号を組み合せ、電子ファイルとして保存し、また、出力し、
上記電子ファイルをインターネットを介して呼び出すためにダイアルされる所定のアドレスが関連付けられたインターネットネットワークサーバへ電子ファイルを出力する、ステップにより特徴付けられた方法。
【国際調査報告】
2004512791.tif 000022
2004512791.tif 000023
2004512791.tif 000024
2004512791.tif 000025
2004512791.tif 000026
2004512791.tif 000027